(57)【要約】【課題】  ディスプレイの均一性を改善し高解像度及び高光輝度を有するアクティブマトリックス方式の有機ＥＬ素子アレイを提供する。【解決手段】  走査線及びデータ線によって定められた第１及び第２サブピクセル領域からなるアクティブマトリックス有機ＥＬ素子アレイを提供し、各第１サブピクセル領域は第１発光素子、第１制御ユニット、第２制御ユニットを有し、各第２サブピクセル領域は第２発光素子を有する。前記第１制御ユニットは前記第１発光素子を駆動するために前記第１発光素子に電気的に接続され、前記第２制御ユニットは前記第２発光素子を駆動するために前記第２発光素子に電気的に接続される。単位面積当たり発光効率の低い前記第２発光素子は、同一の駆動電流で駆動する場合前記第１、第２発光素子が均一な輝度を持ち得てその発光面積を増加させるように、前記第２サブピクセル領域に配置される。【選択図】図１
2006244892.tif 000002
【特許請求の範囲】
【請求項１】
基板上に配置した複数の走査線、
前記走査線と共に複数の第１サブピクセル領域及び複数の第２サブピクセル領域を定め、前記各第１サブピクセル領域は前記第２サブピクセル領域の少なくとも１つに隣接した前記基板上に配置した複数のデータ線、
各々が前記各第１サブピクセル領域に配置された複数の第１発光素子、
各々が前記各第２サブピクセル領域に配置された複数の第２発光素子、
各々が前記各第１サブピクセル領域に配置され且つ対応するように前記走査線の１つ及び前記データ線の１つによって駆動され、且つ前記第１サブピクセル領域内の前記第１発光素子に電気的に接続されている複数の第１制御ユニット、及び
各々が前記各第１サブピクセル領域に配置され且つ対応するように前記走査線の１つ及び前記データ線によって駆動され、且つ前記第２サブピクセル領域内の前記第２発光素子に電気的に接続されている複数の第２制御ユニットからなることを特徴とするアクティブマトリックス有機ＥＬ素子アレイ。
【請求項２】
各々が前記各第１サブピクセル領域内に配置され、且つ前記各第１サブピクセル領域内の前記第１制御ユニット及び前記第２制御ユニットに電気的に接続されている複数の共通電力供給線から更になることを特徴とする請求項１に記載のアクティブマトリックス有機ＥＬ素子アレイ。
【請求項３】
両者の各々が前記各第１サブピクセル領域内に配置され、且つ各第１電力供給線は前記第１制御ユニットと電気的に接続され、各第２電力供給線は前記第２制御ユニットと電気的に接続されている複数の第１電力供給線及び複数の第２電力供給線とから更になることを特徴とする請求項１に記載のアクティブマトリックス有機ＥＬ素子アレイ。
【請求項４】
前記第１発光素子及び前記第２発光素子が有機発光ダイオード（ＯＬＥＤ）又はポリマー発光ダイオード（ＰＬＥＤ）であることを特徴とする請求項１に記載のアクティブマトリックス有機ＥＬ素子アレイ。
【請求項５】
前記第１サブピクセル領域の面積及び前記第２サブピクセル領域の面積が実質的に等しいことを特徴とする請求項１に記載のアクティブマトリックス有機ＥＬ素子アレイ。
【請求項６】
前記第２発光素子が前記第１発光素子の発光面積より大きい発光面積を有することを特徴とする請求項１に記載のアクティブアマトリックス有機ＥＬ素子アレイ。
【請求項７】
前記データ線及び前記走査線が更に複数の第３サブピクセル領域を定め、前記各第３サブピクセル領域は前記第１サブピクセル領域及び前記第２サブピクセル領域の少なくとも１つに隣接するものから更になる請求項１に記載のアクティブマトリックス有機ＥＬ素子アレイであって、更に
各々が前記各第３サブピクセル領域内に配置された複数の第３発光素子、及び
各々が前記各第３サブピクセル領域内に配置され前記走査線の１つ及び前記データ線の１つにより対応するように駆動され、且つ前記第３発光素子と電気的に接続される複数の前記第３制御ユニットからなることを特徴とする請求項１に記載のアクティブマトリックス有機ＥＬ素子アレイ。
【請求項８】
各々が前記各第３サブピクセル領域内に配置され、且つ前記第３サブピクセル領域内の前記第３制御ユニットと電気的に接続されている複数の第３電力供給線から更になることを特徴とする請求項７に記載のアクティブマトリックス有機ＥＬ素子アレイ。
【請求項９】
前記第３発光素子が有機発光ダイオード（ＯＬＥＤ）又はポリマー発光ダイオード（ＰＬＥＤ）であることを特徴とする請求項７に記載のアクティブマトリックス有機ＥＬ素子アレイ。
【請求項１０】
前記第３発光素子が赤色発光素子又は緑色発光素子であることを特徴とする請求項７に記載のアクティブマトリックス有機ＥＬ素子アレイ。
【請求項１１】
前記第２発光素子が青色発光素子であることを特徴とする請求項７に記載のアクティブマトリックス有機ＥＬ素子アレイ。
【請求項１２】
前記第１発光素子が赤色発光素子又は緑色発光素子であることを特徴とする請求項７に記載のアクティブマトリックス有機ＥＬ素子アレイ。
【請求項１３】
前記第１サブピクセル領域の面積、前記第２サブピクセル領域の面積、及び前記第３サブピクセル領域の面積が実質的に同一であることを特徴とする請求項７に記載のアクティブマトリックス有機ＥＬ素子アレイ。
【請求項１４】
前記第２発光素子が前記第３発光素子の発光面積より大きい発光面積を有することを特徴とする請求項７に記載のアクティブマトリックス有機ＥＬ素子アレイ。
【請求項１５】
前記第１発光素子、前記第２発光素子及び前記第３発光素子がモザイク配置、デルタ配置、ストライプ配置又は４画素配置で配置されることを特徴とする請求項７に記載のアクティブマトリックス有機ＥＬ素子アレイ。
【発明の詳細な説明】
【技術分野】
【０００１】
本発明は、一般的な有機ＥＬ素子に関するものであり、特に、アクティブマトリックス方式の有機ＥＬ素子アレイに関するものである。
【背景技術】
【０００２】
オプトエレクトロニクスの生産技術上の最近の進歩及び半導体の製造プロセスの成熟化により、フラットパネルディスプレイ装置は急速に進歩した。特に有機ＥＬディスプレイは、広い視野角、低い生産コスト、高い応答速度、低い電力消費、広い作動温度範囲、軽量及び小さな体積占有性の利点を有する。従って、有機ＥＬディスプレイは多くの応用製品への可能性を有し、次世代ディスプレイの主流になる可能性がある。
【０００３】
有機ＥＬディスプレイは、アクティブマトリックス方式もパッシブマトリックス方式ＥＬディスプレイも含む。一般的に、大サイズ且つ高解像度のディスプレイを推進すると、パッシブマトリックス方式ＥＬディスプレイの光の効率や寿命が悪化する。従って、高性能アクティブマトリックス方式有機ＥＬディスプレイが最近開発されている。
【０００４】
有機ＥＬディスプレイの発光素子は何れも２つの電極と１つの有機物発光材料層からなる。しかし、有機物発光材料は材料毎に発光効率は異なる。例えば、青色発光素子は赤色発光素子及び緑色発光素子に比べて発光効率が劣る。通常、発光効率の低い発光素子（青色発光素子）は、全体のディスプレイの均一性を図るため、他の素子より高電流で駆動する。この方法をとる理由は、通常これらの発光素子がディスプレイの品質を悪化させる経時劣化度の異なる有機発光材料からなることが原因である。
【０００５】
図６は従来のアクティブマトリックス方式有機ＥＬ素子アレイの上面図である。図６に示すように、基板１００上のアクティブマトリックス方式有機ＥＬ素子アレイ１１０は、走査線１０２、データ線１０４、発光素子１０６及び制御ユニット１１２からなる。走査線１０２及びデータ線１０４は多くのサブピクセル領域１０８（図６では３つのサブピクセル領域のみを示す）を明確にするために基板１００上に配置する。各サブピクセル領域１０８はそこに１つの発光素子１０６及び１つの制御ユニット１１２を有する。制御ユニット１１２は発光素子１０６を駆動するために用いる。発光素子１０６は２つの電極及び１つの有機発光材料層からなる。更に、発光素子１０６を駆動する制御ユニット１１２に電流を供給するために、各制御ユニット１１２は１つの電力供給線１１４に電気的に接続される。
【０００６】
図６に示すように、フルカラーディスプレイ素子用には、アクティブマトリックス方式有機ＥＬ素子アレイ１１０の発光素子１０６が通常赤色発光素子１０６ｒ、緑色発光素子１０６ｇ及び青色発光素子１０６ｂからなる。発光の均一性を改善するため、青色発光素子１０６ｂに比べて高い発光効率を有する赤色発光素子１０６ｒ及び緑色発光素子１０６ｇを小さくする。しかし、この方法はディスプレイ解像度と輝度を制限するためサブピクセル領域部分の開口率を悪化させる。
【０００７】
従来の別のアクティブマトリックス方式有機ＥＬ素子アレイが上記問題を解決するために提供されている。図７は従来の別のアクティブマトリックス方式有機ＥＬ素子アレイ２１０を示す上面図である。図７に示すように、アクティブマトリックス方式有機ＥＬ素子アレイ２１０の図６のアクティブマトリックス方式有機ＥＬ素子アレイ１１０との違いは、異なった面積を有するサブピクセル領域２０８ａ、２０８ｂ、２０８ｃを設計した点である。単位面積当りの発光効率が低い青色発光素子１０６ｂを、その発光効率を増加させるために、広い面積を有するサブピクセル領域２０８ｃに配置する。この方法により、（図７のサブピクセル領域２０８ａやサブピクセル領域２０８ｂのような）高発光効率を有するサブピクセル領域の開口率は制限されない。
【０００８】
しかし、赤色発光素子１０６ｒ、緑色発光素子１０６ｇ及び青色発光素子１０６ｂのサブピクセル領域の面積を変えて、デルタ配置のように配置することは、ポリマー発光材料層を形成するインクジェット印刷方法によって製造を行なうのは容易ではないだろう。
【発明の開示】
【発明が解決しようとする課題】
【０００９】
したがって、本発明は、ディスプレイの均一性を改善し高解像度及び高光輝度を有するアクティブマトリックス方式の有機ＥＬ素子アレイを提供することを目的とする。更に、このアクティブマトリックス方式の有機ＥＬ素子アレイの発光素子は、同一の寿命を有する。
【課題を解決するための手段】
【００１０】
本発明は、基板上に配置した複数の走査線、複数のデータ線、複数の第１発光素子、複数の第２発光素子、複数の第１制御ユニット及び複数の第２制御ユニットからなるアクティブマトリックス方式有機ＥＬ素子アレイを提供することを目的としており、それら走査線およびデータ線は複数の第１サブピクセル領域及び複数の第２サブピクセル領域を明確にするため基板上に配置される。各第１サブピクセル領域は第２サブピクセル領域の少なくとも１つに隣接している。第１発光素子、第１制御ユニットおよび第２制御ユニットは第１サブピクセル領域に配置され、第１発光素子は第１制御ユニットと電気的に接続されている。第２発光素子は第２サブピクセル内に配置され、第２発光素子は第２制御ユニットと電気的に接続されている。
【００１１】
本発明の一実施態様として、アクティブマトリックス方式有機ＥＬ素子アレイは更に、第１サブピクセル領域内に配置された複数の共通の電力供給線からなる。各第１サブピクセル領域内で、第１制御ユニット及び第２制御ユニットは共通の電力供給線と電気的に接続されている。
本発明の別の実施態様に従って、アクティブマトリックス方式有機ＥＬ素子アレイは更に、第１サブピクセル領域内に配置された複数の第１電力供給線及び第２電力供給線からなる。第１サブピクセル領域内で、第１制御ユニットは第１電力供給線と電気的に接続され、第２制御ユニットは第２電力供給線と電気的に接続されている。
【００１２】
本発明の一実施態様として、第１発光素子及び第２発光素子は夫々、有機発光ダイオード（ＯＬＥＤ）又はポリマー発光ダイオード（ＰＬＥＤ）である。例えば、第２発光素子は青色発光素子である。一実施態様において例えば、第２発光素子は第１発光素子の発光面積より大きな発光面積を有する。
【００１３】
本発明の一実施態様として、走査線及びデータ線は更に複数の第３サブピクセル領域を明確にする。各第３サブピクセル領域は第１サブピクセル領域及び第２サブピクセル領域の少なくとも１つに隣接している。加えて、アクティブマトリックス方式有機ＥＬ素子アレイは更に複数の第３発光素子及び複数の第３制御ユニットからなる。各第３発光素子及び各第３制御ユニットは各々、第３サブピクセル領域内に配置される。各第３サブピクセル領域内で、第３制御ユニットは第３発光素子と電気的に接続されている。
【００１４】
本発明の一実施態様として、アクティブマトリックス方式有機ＥＬ素子アレイは更に複数の第３電力供給線からなる。各第３電力供給線は第３サブピクセル領域内に配置される。各第３サブピクセル領域内で、第３制御ユニットは第３電力供給線と電気的に接続されている。
【００１５】
本発明の一実施態様として、第３発光素子は例えば有機発光ダイオード（ＯＬＥＤ）又はポリマー発光ダイオード（ＰＬＥＤ）である。一実施態様として、第２発光素子の発光面積は第３発光素子の発光面積より大きい。
【００１６】
本発明の一実施態様として、第１発光素子、第２発光素子及び第３発光素子は、モザイク配置、デルタ配置、ストライプ配置又は４画素配置に配置される。
【００１７】
単位面積当りの発光効率の低い発光素子を第２サブピクセル領域内に配置し、同一電流で起動した場合に第２サブピクセル領域内の発光素子の輝度が他の発光素子の輝度と同等になるように、その発光面積を増加させる。アクティブマトリックス方式有機ＥＬ素子アレイのこれら発光素子は、等しい寿命を有する。更に、本発明が有機ＥＬディスプレイ素子に応用されると、有機ＥＬディスプレイは良好なディスプレイ品質を有する。
【発明を実施するための最良の形態】
【００１８】
以下、本発明の現時点でのより良い実施態様を詳細に言及し、その実施の形態を添付図面を用いて説明する。可能な限り、同一若しくは類似の部品に関する記載及び図面においては、同じ引用番号を用いる。
【００１９】
本発明において、発光素子が配置されているサブピクセル領域の開口率を上げるため、発光効率の低い発光素子はサブピクセル領域に配置する一方、その制御ユニットはそれに隣接するサブピクセル領域に配置する。本発明を限定するためでなく、いくつかの実施態様を以下のように記載する。本発明の範囲若しくは精神から外れることなく本発明の構成から種々の修正や変形をすることができるということは、当業者にとっては明らかである。
【００２０】
図１は本発明の一実施態様で、アクティブマトリックス有機ＥＬ素子アレイの一部を示す上面図である。図１に示すように、本発明のアクティブマトリックス有機ＥＬ素子アレイ３１０は基板３００の上に配置する。このアクティブマトリックス有機ＥＬ素子アレイ３１０は、複数の走査線３０２、複数のデータ線３０４、複数の第１発光素子３０６ａ、複数の第２発光素子３０６ｂ、複数の第１制御ユニット３３０ａ及び複数の第２制御ユニット３３０ｂからなる。複数の第１サブピクセル領域３０８ａ及び複数の第２サブピクセル領域３０８ｂを明確にするため、基板３００上に走査線３０２及びデータ線３０４を配置する。第１サブピクセル領域３０８ａの面積及び第２サブピクセル領域３０８ｂの面積は、実質的に同じであることがより好ましい。各第１サブピクセル領域３０８ａは第２サブピクセル領域３０８ｂの少なくとも１つに隣接している。図１は１つの第１サブピクセル領域３０８ａ及び１つの第２サブピクセル領域３０８ｂのみを説明用に示す。
【００２１】
図１に示すように、第２発光素子３０６ｂは第２サブピクセル領域３０８ｂの中に配置される。特に、第１発光素子３０６ａ、第１制御ユニット３３０ａ及び第２制御ユニット３３０ｂは、全て第１サブピクセル領域３０８ａ内に配置する。第１制御ユニット３３０ａは第１発光素子３０６ａを駆動するため第１発光素子３０６ａと電気的に接続されており、一方、第２制御ユニット３３０ｂは第２発光素子３０６ｂを駆動するため第２発光素子３０６ｂと電気的に接続されている。第１制御ユニット３３０ａ及び第２制御ユニット３３０ｂは、それぞれ対応するように１つの走査線３０２及び１つデータ線３０４と電気的に接続されている。
【００２２】
一実施態様として、第１制御ユニット３３０ａは、２つの薄膜トランジスタ３３２ａ、３３４ａ及び１つのキャパシタ３３６ａからなり、この内、薄膜トランジスタ３３２ａは信号の入力を制御するスイッチング用薄膜トランジスタ（ＴＦＴ）である。薄膜トランジスタ３３４ａは薄膜トランジスタ３３２ａからの信号を受けるための駆動用薄膜トランジスタ（ＴＦＴ）であり、発光素子３０６ａを駆動する。同様に、第２制御ユニット３３０ｂは、２つの薄膜トランジスタ３３２ｂ、３３６ｂ及び１つのキャパシタ３３４ｂからなり、この内、薄膜トランジスタ３３２ｂは信号の入力の有無を制御するスイッチング用薄膜トランジスタ（ＴＦＴ）である。薄膜トランジスタ３３６ｂは薄膜トランジスタ３３２ｂからの信号を受けるための駆動用薄膜トランジスタ（ＴＦＴ）であり、発光素子３０６ｂを駆動する。
【００２３】
第１発光素子３０６ａ及び第２発光素子３０６ｂは、例えば有機発光ダイオード（ＯＬＥＤ）又はポリマー発光ダイオード（ＰＬＥＤ）である。第１、第２発光素子３０６ａ、３０６ｂに駆動電流を供給する複数の電力供給線をアクティブマトリックス有機ＥＬ素子アレイ３１０内に含むために、第１発光素子３０６ａ及び第２発光素子３０６ｂは、電流駆動型素子である。詳細は以下に述べる。
【００２４】
図１に示すように、一実施態様として、アクティブマトリックス有機ＥＬ素子アレイ３１０は更に複数の共通電力供給線３４０からなる。各共通電力供給線３４０は第１サブピクセル領域３０８ａ内に各々配置され、この電力供給線３４０は第１制御ユニット３３０ａ及び第２制御ユニット３３０ｂに電気的に接続されている。第１制御ユニット３３０ａは更に以下に詳細記述するが、第２制御ユニット３３０ｂは第１制御ユニット３３０ａと同じであり、説明を省略する。
【００２５】
第１制御ユニット３３０ａのスイッチング用ＴＦＴ３３２ａのゲートは走査線３０２と電気的に接続され、ドレインはデータ線３０４及びキャパシタ３３６ａと夫々電気的に接続される。更に、第１制御ユニット３３０ａの駆動用ＴＦＴ３３４ａのゲートはスイッチング用ＴＦＴ３３２ａのドレインと電気的に接続される。駆動用ＴＦＴ３３４ａのドレイン及びソースは、第１発光素子３０６ａ及び共通電力供給線３４０と電気的に接続される。電力供給線３４０からの駆動電流は、駆動用ＴＦＴ３３４ａのソース及びドレインを通って駆動用ＴＦＴ３３４ａに入力（インプット）され、そして第１発光素子３０６ａの発光を促すために駆動用ＴＦＴ３３４ａから第１発光素子３０６ａに入力される。
【００２６】
図２は本発明の別の一実施態様としてのアクティブマトリックス有機ＥＬ素子アレイの一部を示す上面図である。図２に示すように、第１電力供給線３５０及び第２電力供給線３６０を第１サブピクセル領域３０８ａ内に配置する。第１電力供給線３５０は第１制御ユニット３３０ａに電気的に接続され、第２電力供給線３６０は第２制御ユニット３３０ｂに電気的に接続される。本発明において、第１制御ユニット３３０ａ及び第２制御ユニット３３０ｂは１つの共通電力供給線にも、又は２つの別々の電力供給線にも接続することができる。
【００２７】
図１および図２に示すように、第２発光素子３０６ｂの発光面積が第１発光素子３０６ａの面積より大きくなるように設計することができるように、各第２サブピクセル領域３０８ｂは１つの第２発光素子３０６ｂのみを有する。一実施態様として、例えば第２発光素子３０６ｂの発光面積の第２サブピクセル領域３０８ｂ全体に対する面積比は約８０％である。第２発光素子３０６ｂの単位面積当たりの発光効率が低い場合がある。第１発光素子３０６ａ及び第２発光素子３０６ｂを同一電流で駆動する場合、第２発光素子３０６ｂが大きな発光面積を有しているためアクティブマトリックスＥＬ素子アレイ３１０は良好な輝度均一性となる。
【００２８】
又、第２発光素子３０６ｂの単位面積当たりの発光効率が第１発光素子３０６ａより低くない場合もある。上記は本発明の一実施態様である。本発明は、他の発光素子より高輝度を有する特別の発光素子が必要である等の特殊な要求を有する素子にも応用可能である。
【００２９】
フルカラーディスプレイは、１つの画素領域は通常３つのサブピクセル領域から構成される。その３つのサブピクセル領域内には、赤色発光素子、緑色発光素子、青色発光素子が夫々配置されている。本発明はフルカラーディスプレイ素子にも適用することが可能であり、以下記述する。
【００３０】
図３は本発明の別の一実施態様としてのアクティブマトリックス有機ＥＬ素子アレイの一部を示す上面図である。図３のアクティブマトリックス有機ＥＬ素子アレイは図１のアレイと同じであることに注意されたい。両者の差異は、以下の通りである。なお、図３の引用番号は同じ要素であるため、説明を省略する。
【００３１】
図３に示す通り、アクティブマトリックス有機ＥＬ素子アレイ５００内に、複数の第１サブピクセル領域３０８ａ、複数の第２サブピクセル領域３０８ｂ及び複数の第３サブピクセル領域３０８ｃを明確にするために、走査線３０２、データ線３０４を基板３００の上に配列する。図３は第１サブピクセル領域３０８ａの１つ、第２サブピクセル領域３０８ｂの１つ及び第３サブピクセル領域３０８ｃの１つのみを示している。第１サブピクセル領域３０８ａ、第２サブピクセル領域３０８ｂ及び第３サブピクセル領域３０８ｃの面積は実質的には同じであることが好ましい。第３サブピクセル領域３０８ｃは、第１サブピクセル領域３０８ａ及び第２サブピクセル領域３０８ｂの少なくとも１つと隣接する。
【００３２】
図３に示す通り、図１のアクティブマトリックス有機ＥＬ素子アレイ３１０に比べて、アクティブマトリックス有機ＥＬ素子アレイ５００は更に、複数の第３発光素子３０６ｃ及び複数の第３制御ユニット３３０ｃからなる。第３発光素子３０６ｃは、例えばＯＬＥＤ又はＰＬＥＤである。特に、第１発光素子３０６ａ及び第３発光素子３０６ｃは夫々赤色発光素子又は緑色発光素子であり、一方、第２発光素子３０６ｂは青色発光素子である。一実施態様として、第１発光素子３０６ａ、第２発光素子３０６ｂ及び第３発光素子３０６ｃを、例えば、モザイク配置（図４Ａ参照）、デルタ配置（図４Ｂ参照）、ストライプ配置（図４Ｃ参照）、又は４画素配置（図４Ｄ参照）に配置する。図４Ｄにおいて、第１発光素子３０６ａは緑色発光素子Ｇであり、第２発光素子３０６ｂは青色発光素子Ｂである。第３サブピクセル領域３０８ｃに配置する第３発光素子３０６ｃ部の一部は、例えば赤色発光素子Ｒであり、第３発光素子３０６ｃの他の一部は、例えば緑色発光素子Ｇである。第１発光素子３０６ａ、第２発光素子３０６ｂ及び第３発光素子３０６ｃの配置はこれに限られない。
【００３３】
図３に示す通り、第３発光素子３０６ｃ及び第３制御ユニット３３０ｃは第３サブピクセル領域３０８ｃに配置される。第３制御ユニット３３０ｃは第３発光素子３０６ｃを駆動するために第３発光素子３０６ｃに電気的に接続される。一実施態様として、第３制御ユニット３３０ｃは２つの薄膜トランジスタと１つのキャパシタからなり、第３制御ユニット３３０ｃは対応するように走査線３０２の１つとデータ線３０４の１つによって駆動される。
【００３４】
同様に、第３電力供給線３７０が第３サブピクセル領域３０８Ｃに配置され、第３発光素子３０６ｃに電流を供給するため第３制御ユニット３３０ｃに電気的に接続される。更に、第１制御ユニット３３０ａ及び第２制御ユニット３３０ｂは共通電力供給線３４０に電気的に接続（図３参照）されるか、又は夫々第１電力供給線３５０及び第２電力供給線３６０に電気的に接続される（図５参照）。
【００３５】
共通電力供給線３４０は高電流を負荷としなければならないので、共通電力供給線３４０が燃えるのを避けるために低抵抗であることが好ましいことに注意すべきである。例えば、電力供給線として同じ材料を使用するならば、共通電力供給線３４０の断面積は第３電力供給線３７０より大きく、又は第１電力供給線３５０又は第２電力供給線３６０より大きい方が好ましい（図５参照）。同様に、低抵抗材料を共通電力供給線３４０に用いる方が良い。
【００３６】
上記のため、本発明は以下の利点を有する。
（１）第２発光素子の駆動用の第２制御ユニットは、第１サブピクセル領域が充分な面積を有するならば、第１サブピクセル領域内に配置する。言い換えると、第２サブピクセル領域の発光面積に対する第２発光素子の発光面積の比率は、第２サブピクセル領域の開口率を改善するため８０％に上げることができる。本発明において、他の発光素子の発光面積を減らさずに、第２発光素子の発光面積を増加させることができる。従来素子に比較して、本発明のアクティブマトリックスＥＬ素子アレイは、より良い解像度及び輝度を有する。
（２）単位面積当たりの発光効率の低い発光素子を第２サブピクセル領域に配置し、同じ電流で駆動する場合、第２サブピクセル領域内の発光素子の輝度が他の発光素子と同一になるよう、その発光面積を増加させることが可能である。アクティブマトリックスＥＬ素子アレイのこれらの発光素子は等しい寿命を有する。更に、もし本発明を有機ＥＬディスプレイ素子に応用すれば、その有機ＥＬディスプレイは優れたディスプレイ品質を有するものとなる。
（３）アクティブマトリックスＥＬ素子アレイのサブピクセル領域が同じ面積の場合は、発光効率の低い発光素子の発光面積を増加させる。それ故、たとえインクジェット印刷プロセスを、デルタ配置のように配置する発光素子の形成に用いても、これらのサブピクセル領域は同じ面積なので、その製造方法は複雑ではない。
【００３７】
本発明の範囲又は精神から外れることなく、本発明の構成の種々の修正や変更を為すことは当業者にとって容易であることは明らかであろう。上記を考慮して、本発明の改良や変更が特許請求の範囲及びそれらと等価の範囲内にあるならば、それらの改良や変更は本発明に含まれていることが意図される。
【図面の簡単な説明】
【００３８】
添付図面は本発明を更なる理解のために提供することを含み、本明細書の一部と一体化して構成する。図面は本発明の実施態様を示すと共に、明細書の記載と共に本発明の本質の説明に供する。
【図１】本発明の一実施態様としてのアクティブマトリックス有機ＥＬ素子アレイを示す上面図である。
【図２】本発明の別の一実施態様としてのアクティブマトリックス有機ＥＬ素子アレイを示す上面図である。
【図３】本発明の別の一実施態様としてのアクティブマトリックス有機ＥＬ素子アレイを示す上面図である。
【図４Ａ】本発明の別の一実施態様としてのアクティブマトリックス有機ＥＬ素子アレイを示す上面図である。
【図４Ｂ】本発明の別の一実施態様としてのアクティブマトリックス有機ＥＬ素子アレイを示す上面図である。
【図４Ｃ】本発明の別の一実施態様としてのアクティブマトリックス有機ＥＬ素子アレイを示す上面図である。
【図４Ｄ】本発明の別の一実施態様としてのアクティブマトリックス有機ＥＬ素子アレイを示す上面図である。
【図５】本発明の別の一実施態様としてのアクティブマトリックス有機ＥＬ素子アレイを示す上面図である。
【図６】従来のアクティブマトリックス有機ＥＬ素子アレイを示す上面図である。
【図７】従来の別のアクティブマトリックス有機ＥＬ素子アレイを示す上面図である。
【符号の説明】
【００３９】
１００  基板
１０２  走査線
１０４  データ線
１０６  発光素子
１０６ｒ  赤色発光素子
１０６ｇ  緑色発光素子
１０６ｂ  青色発光素子
１０８  サブピクセル領域
１１０  アクティブマトリックス方式有機ＥＬ素子アレイ
１１２  制御ユニット
１１４  電力供給線
２０８ａ  サブピクセル領域
２０８ｂ  サブピクセル領域
２０８ｃ  サブピクセル領域
２１０    アクティブマトリックス方式有機ＥＬ素子アレイ
３００  基板
３０２  走査線
３０４  データ線
３０６ａ  第１発光素子
３０６ｂ  第２発光素子
３０６ｃ  第３発光素子
３０８ａ  第１サブピクセル領域
３０８ｂ  第２サブピクセル領域
３０８ｃ  第３サブピクセル領域
３１０    アクティブマトリックス方式有機ＥＬ素子アレイ
３３０ａ  第１制御ユニット
３３０ｂ  第２制御ユニット
３３０ｃ  第３制御ユニット
３３２ａ  スイッチング用薄膜トランジスタ（ＴＦＴ）
３３２ｂ  スイッチング用薄膜トランジスタ（ＴＦＴ）
３３４ａ  駆動用薄膜トランジスタ（ＴＦＴ）
３３４ｂ  駆動用薄膜トランジスタ（ＴＦＴ）
３３６ａ  キャパシタ
３３６ｂ  キャパシタ
３４０  共通電力供給線
３５０  第１電力供給線
３６０  第２電力供給線
３７０  第３電力供給線
５００  アクティブマトリックス有機ＥＬ素子アレイ
【図１】
2006244892.tif 000003
【図２】
2006244892.tif 000004
【図３】
2006244892.tif 000005
【図４Ａ】
2006244892.tif 000006
【図４Ｂ】
2006244892.tif 000007
【図４Ｃ】
2006244892.tif 000008
【図４Ｄ】
2006244892.tif 000009
【図５】
2006244892.tif 000010
【図６】
2006244892.tif 000011
【図７】
2006244892.tif 000012